【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
意匠面を表面に形成する意匠面部分を有する第一板状部材と補強用の第二板状部材とを重合して形成するエレベータの意匠パネル構造において、前記第一板状部材と前記第二板状部材を重合してレーザー溶接により溶接した接合溶接部を設けるとともに、前記接合溶接部の溶接端部を前記意匠面部分以外の部位に設けたことを特徴とするエレベータの意匠パネル構造。
【請求項２】
前記第一板状部材の端部を、折り返し部の端部が前記第一板状部材の裏面に接するように折り返して断面を頂面が平らな山形形状とするとともに、前記第二板状部材の端部に折り曲げ部を形成し、この折り曲げ部が前記第一板状部材の前記端部と重合して前記溶接端部が設けられる部位を形成するようにしたことを特徴とする請求項１に記載のエレベータの意匠パネル構造。
【請求項３】
前記第一板状部材の端部は、前記折り返し部と前記第一板状部材の裏面とが鈍角で接しており、前記第二板状部材の端部の折り曲げ部は、前記第一板状部材の折り返し部と重合する鈍角で形成されていることを特徴とする請求項２に記載のエレベータの意匠パネル構造。
【請求項４】
前記溶接端部の溶接パターンをコの字形状としたことを特徴とする請求項２または請求項３に記載のエレベータの意匠パネル構造。
【請求項５】
前記溶接端部の溶接パターンをコの字形状を連続して繋げたジグザク形状としたことを特徴とする請求項２または請求項３に記載のエレベータの意匠パネル構造。
【請求項６】
前記溶接端部の溶接パターンを四角形状としたことを特徴とする請求項２または請求項３に記載のエレベータの意匠パネル構造。
【請求項７】
前記溶接端部の溶接パターンを円形状としたことを特徴とする請求項２または請求項３に記載のエレベータの意匠パネル構造。
【請求項８】
前記第一板状部材と前記第二板状部材との前記接合溶接部は、連続してレーザー溶接されている連続溶接部としたことを特徴とする請求項１から請求項７までの何れか１項に記載のエレベータの意匠パネル構造。
【請求項９】
前記第一板状部材と前記第二板状部材との前記接合溶接部は、断続してレーザー溶接されている断続溶接部としたことを特徴とする請求項１から請求項７までの何れか１項に記載のエレベータの意匠パネル構造。
【請求項１０】
意匠面を表面に形成する意匠面部分を有する第一板状部材と補強用の第二板状部材とを重合して形成する意匠パネル構造に適用される溶接方法において、前記第一板状部材と前記第二板状部材をレーザー溶接するとともに、溶接端部を前記意匠面部分以外の部位に形成するようにしたことを特徴とする意匠パネルのレーザー溶接方法。
【手続補正２】
【補正対象書類名】明細書
【補正対象項目名】００１６
【補正方法】変更
【補正の内容】
【００１６】
以下に実施の形態１に示す、接合端部への剥離力に耐え、かつ、意匠面に歪みが生成されないレーザー溶接に適した構造について説明する。
図１のように第一鋼板７のレーザー溶接端部に予め鈍角の折り返し部８の加工を施し、また図２に示すように第二鋼板１１のレーザー溶接端部にも予め鈍角の折り曲げ部１２の加工を施すことで、図３に示す第一鋼板７と第二鋼板１１を重合させる際にパネルの意匠面１０と接しない溶接面１３を生成する。
【手続補正３】
【補正対象書類名】明細書
【補正対象項目名】００２１
【補正方法】変更
【補正の内容】
【００２１】
実施の形態１におけるエレベータの意匠パネル構造は、図１から図６に示す通り、次の構成が適用されている。
意匠面を表面に形成する第一鋼板７からなる第一板状部材と、補強用の第二鋼板１１からなる第二板状部材とを重合して形成するエレベータの意匠パネル構造において、第一板状部材は、意匠面を形成する意匠面部分ＤＳと意匠面を形成しない非意匠面部分ＮＤとを有するものであって、第一板状部材と第二板状部材とを重合し、レーザー発生源からのレーザー波出力を印加して溶接するレーザー溶接により溶接部分１４を連続して溶接して形成される接合溶接部ＷＰを設けるとともに、接合溶接部ＷＰの溶接始端および溶接終端となる溶接端部ＷＥを第一板状部材の意匠面以外の部位である非意匠面部分ＮＤに設けたことを特徴とする。
すなわち、意匠面を形成する第一鋼板７と補強用の第二鋼板１１とを重合して形成するエレベータの意匠パネル構造において、第一鋼板７と補強用の第二鋼板１１をレーザー溶接するとともに、溶接端部ＷＥを意匠面と接しない面に設けたことを特徴とする。
このように構成することによって、接合溶接部ＷＰの溶接端部ＷＥに生ずる歪による意匠面部分ＤＳの外観の損傷を防止でき、生産性に優れたエレベータの意匠パネル構造を提供することができる。
すなわち、パネル部と補強部の溶接端部に最も荷重負荷（剥離力）がかかるため、意匠面に歪みを生成することなく端部を高出力で強く溶接可能となる。また、溶接箇所の端部から中心部にかけては強度のバックアップとして溶接する必要があるが、レーザー溶接はスポット溶接と比べ熱影響が小さく歪みが抑えられるため、適度な接合強度（バックアップ）であれば意匠性と両立した溶接条件出しが可能である。これにより、溶接後にその歪みを隠すための化粧パネルを別途必要とせず、意匠パネルの意匠面をフラットに保つことが可能である。そのため、化粧パネル自体の材料費と化粧パネルを取り付ける加工費とを削減することができ、かつパネル部と補強部の曲げ加工が容易であり、レーザー溶接を含めて設備の自動化が可能なため、製作費を大きく削減することができ、生産性向上に繋げることができる。
【手続補正４】
【補正対象書類名】明細書
【補正対象項目名】００２３
【補正方法】変更
【補正の内容】
【００２３】
実施の形態２．
実施の形態２を図７に基づいて説明する。図７は意匠面を形成する第一鋼板と補強用の第二鋼板を重ね合わせてレーザー溶接した後の状態を示す斜視図である。
図７は、溶接部分１４に連なる溶接始端部１３の溶接パターン１６をコの字形を連続して繋げた形状のジグザク形とした例（始端部の溶接パターン２）である。また、溶接部分１４に連なる溶接終端部（図示せず）の形状も同様である。このようにすると、より確実な溶接部を得ることができる。
【手続補正５】
【補正対象書類名】明細書
【補正対象項目名】００２５
【補正方法】変更
【補正の内容】
【００２５】
実施の形態３．
実施の形態３を図８に基づいて説明する。図８は意匠面を形成する第一鋼板と補強用の第二鋼板を重ね合わせてレーザー溶接した後の状態を示す斜視図である。
図８は、接合溶接部ＷＰを構成し溶接部分１４に連なる溶接始端部１３の溶接パターン１７を四角形状にした例（始端部の溶接パターン３）である。溶接部分１４に連なる溶接終端部（図示せず）の形状も同様である。このようにすると、より確実な溶接部を得ることができる。
【手続補正６】
【補正対象書類名】明細書
【補正対象項目名】００２７
【補正方法】変更
【補正の内容】
【００２７】
実施の形態４．
実施の形態４を図９に基づいて説明する。図９は第一鋼板と第二鋼板を重ね合わせてレーザー溶接した後の状態を示す斜視図である。
図９は、溶接部分１４に連なる溶接始端部の溶接パターン１８を円形状にした例（始端部の溶接パターン４）である。また、溶接部分１４に連なる溶接終端部（図示せず）の形状も同様である。このようにすると、より確実な溶接部を得ることができる。
【手続補正７】
【補正対象書類名】明細書
【補正対象項目名】００２９
【補正方法】変更
【補正の内容】
【００２９】
実施の形態５．
実施の形態５を図１０に基づいて説明する。図１０は意匠面を形成する第一鋼板と補強用の第二鋼板を重ね合わせてレーザー溶接した後の状態を示す斜視図である。
図１０は、溶接部の始端部の溶接パターン１５をコの字形とし、かつ溶接部分１９をパルス溶接による断続溶接にした例である。このようにすると、さらに歪みを抑制することが可能となる。
【手続補正８】
【補正対象書類名】明細書
【補正対象項目名】００３１
【補正方法】変更
【補正の内容】
【００３１】
以上のように、溶接部の形状は種々の形状が考えられるが、エレベータ意匠パネルの意匠面に歪みが生成されない程度にレーザー出力を調整し、意匠面と接する面を溶接することで意匠性も担保できる。また、実施の形態５のように連続溶接をパルス溶接に変更することでもさらに歪みを抑制することが可能となる。
なお、連続溶接のデメリットとしては入熱量が多くなるため、意匠面への歪みが出やすいことがあげられるが、パルス溶接では多数のパラメータを変更（パルス巾、周波数、波形等）させ、入熱量を調整することができるため、意匠面への歪み抑制に有効である。強度に問題がないが意匠性に問題がある場合は、パルス溶接に、逆に意匠性に問題がないが強度に問題がある場合は、連続溶接にと切り替えることによって、意匠性と強度特性という相反する要求に対応することが可能となる。
【手続補正９】
【補正対象書類名】明細書
【補正対象項目名】００３４
【補正方法】変更
【補正の内容】
【００３４】
１  第一鋼板、２  第二鋼板、３  スポット溶接部、４  溶接端部、５  溶接方向、６  溶接端部、７  第一鋼板（第一板状部材）、８  第一鋼板の折り返し部、９  第一鋼板の裏面側、１０  第一鋼板の意匠面側、１１  第二鋼板（第二板状部材）、１２  第二鋼板の折り曲げ部、１３  溶接始端部、１４  連続溶接部分、１５  溶接始端部の溶接パターン１、１６  溶接始端部の溶接パターン２、１７  溶接始端部の溶接パターン３、１８  溶接始端部の溶接パターン４、１９  断続溶接部分、ＤＳ  意匠面部分、ＮＤ  非意匠面部分、ＷＰ  接合溶接部、ＷＥ  溶接端部。